(57)【要約】【課題】本発明は静電容量式入力装置に関し、有効押し操作ストロークを長くして操作性の向上を図ることを課題とする。【解決手段】固定電極１１２−１〜１１２−４が形成してある基板１１１上に、ドーム状接点部材１２０が固定され、且つ、環状板状の導電性ラバー部材１３０が配置してある。導電性ラバー部材１３０の環状板部１３４が固定電極１１２−１〜１１２−４に対向する。導電性ラバー部材１３０は、環状板部１３４よりも中心側の位置に、リング状リブ１３６を有し、このリング状リブ１３６がドーム状接点部材１２０の周縁部に対向する。押し操作をすると、リング状リブ１３６がドーム状接点部材１２０に接触して、導電性ラバー部材１３０がグランド電位とされて、固定電極１１２−１〜１１２−４と環状板部１３４との間に静電容量が形成される。【選択図】        図１
2005038623.tif 000002
【特許請求の範囲】
【請求項１】
固定電極が形成してある基板と、該基板上に配置してあり、導電性を有する略円板形状の電極部材とを有し、該電極部材は、上記固定電極に対向する環状の可動電極部を有し、周方向上任意の位置を押された操作に応じて該電極部材の該可動電極部が該固定電極に接近して、該固定電極と該可動電極部との間の静電容量が変化する構成の静電容量式入力装置において、
上記電極部材は、上記環状の可動電極部よりも中心寄り側の部位に、該基板側に突き出しており、押し操作されたときに、上記基板のうち所定の電位とされている所定電位部分に接触する突部を有する構成としたことを特徴とする静電容量式入力装置。
【請求項２】
請求項１記載の静電容量式入力装置において、
上記電極部材の突部は、リング状のリブである構成としたことを特徴とする静電容量式入力装置。
【請求項３】
請求項１記載の静電容量式入力装置において、
上記基板の所定電位部分は、上記固定電極の中央のドーム状接点部材であり、
上記電極部材は、上記突部が、上記ドーム状接点部材のうちの周縁側の部分に対向する構成としたことを特徴とする静電容量式入力装置。
【請求項４】
請求項１記載の静電容量式入力装置において、
上記基板の所定電位部分は、上記固定電極よりも中心側に形成してあるグランド電極であり、
上記電極部材は、上記突部が、上記グランド電極に対向する構成としたことを特徴とする静電容量式入力装置。
【発明の詳細な説明】
【０００１】
【発明の属する技術分野】
本発明は静電容量式入力装置に係り、特に情報機器等の電子機器に組み込まれて使用され、周方向上任意の位置が押されるようになっており、押す操作に応じて静電容量が変化して、電子機器に指令情報を入力する構成の静電容量式入力装置に関する。
【０００２】
情報機器等の電子機器の小型化に伴なって静電容量式入力装置は平面的なサイズ及び高さが制約されており、キートップの操作のストロークも制約されている。このような厳しい条件の下においても、操作感触が良好であることが要求される。
【０００３】
【従来の技術】
図８乃至図１１は従来の静電容量式入力装置１０を概略的に示す。静電容量式入力装置１０は、基板１１上に、ドーム状接点部材２０が固定され、且つ、環状板状の導電性ラバー部材３０が配置されており、導電性ラバー部材３０上に環状板状のキーキャップ４０が載っており、金属ケース５０が基板１１に固定してあり、キーキャップ４０の外周部を押えている構成である。入力装置１０は、図９に示すように、情報機器のプリント基板７０上に実装してあり、且つ、上面には、中央に決定操作用のキートップ８０とこのキートップ８０を囲む選択操作用キートップ８５とが配置される。選択操作用キートップ８５の周方向上任意の位置が押し操作されると、押された操作が静電容量の変化として検出され、決定操作用キートップ８０が押されるとドーム状接点部材２０が変形されてスイッチがオンとされる。
【０００４】
導電性ラバー部材３０の直径はＤ１に制約されており、且つ、入力装置１０の高さは寸法Ｈ１に制約されている。
【０００５】
基板１１上には、図１０に併せて示すように、扇形状の４つの固定電極１２−１〜１２−４と、グランド電極１３とが形成してある。固定電極１２−１〜１２−４は周方向に並んでいる。グランド電極１３は、固定電極１２−１〜１２−４よりも外周側の位置に設けてある。固定電極１２−１〜１２−４には電源電圧＋Ｖｃｃが印加される。グランド電極１３はグランド電位とされる。
【０００６】
導電性ラバー部材３０は、中央に開口３１を有する円板形状であり、下面には、外周側と内周側とに、リング状のリブ３２，３３を有し、その間に、環状板部３４を有する。環状板部３４は、可動電極として機能する。この導電性ラバー部材３０は、図１１に示すように、外周側リング状リブ３２をグランド電極１３よりも外周側の位置に置いて、且つ、内周側リング状リブ３３を固定電極１２−１〜１２−４よりも内周側の位置に置いて、基板１１上に配置してある。図９に示すように、環状板部３４は、固定電極１２−１〜１２−４と間隙Ａをおいて対向しており、且つ、環状板部３４のうち外周側寄りの部分３４ａがグランド電極１３と間隙Ｂをおいて対向している。
【０００７】
以下に説明するように操作を行うと、環状板部３４と固定電極１２−１〜１２−４との間に、静電容量が形成され、この静電容量が増える方向に変化する。
【０００８】
次に、操作者が指先で選択操作用キートップ８５のうち固定電極１２−１の上側の位置を力Ｆで押す操作をした場合の、入力装置１０の動作について説明する。
【０００９】
選択操作用キートップ８５を押す操作を行う段階で、固定電極１２−１には電源電圧が印加されている。
【００１０】
図９に示す操作前の状態では、導電性ラバー部材３０は電気的には空中に浮いている状態であり、固定電極１２−１と環状板部３４との間には、静電容量は形成されていない。
【００１１】
選択操作用キートップ８５を押す操作を行うと、図９に示すように、環状板状のキーキャップ４０が押された位置とはキーキャップ４０の中心に関して反対側であって金属ケース５０によって係止されている位置Ｐを中心に傾斜され、導電性ラバー部材３０のうち主に固定電極１２−１と対向する部分が圧縮変形される。
【００１２】
先ず、図１２に示すように、環状板部３４のうち外周側寄りの部分３４ａがグランド電極１３と接触し、導電性ラバー部材３０がグランド電位とされ、環状板部３４と固定電極１２−１との間に初めて静電容量が形成される。
【００１３】
選択操作用キートップ８５を更に押し付けると、導電性ラバー部材３０が変形されて、環状板部３４と固定電極１２との間の間隙Ａが狭くなるように変化し、静電容量が増える。静電容量は選択操作用キートップ８５を押しきるまで増える。
【００１４】
入力装置１０からは、押す操作に応じた静電容量が出力され、出力された静電容量は電圧に変換されて指令信号として情報機器の制御回路部に入力される。
【００１５】
図１３中、線Ｉは、選択操作用キートップ８５を押し操作したときのストロークと静電容量との関係を示す。
【００１６】
図１３中、９０は不感領域であり、選択操作用キートップ８５を操作しても静電容量が出力されないストローク領域である。不感領域９０は、環状板部３４のうち外周側寄りの部分３４ａがグランド電極１３と接触した時点で終了する。９５は有効押し操作ストロークであり、押した程度に対応した静電容量が出力される領域である。９６は全体の押し操作ストロークである。ΔＣ１０は静電容量の変化量である。
【００１７】
選択操作用キートップ８５を操作する前の段階で、環状板部３４の外周側寄りの部分３４ａをグランド電極１３に接触させておくことも考えられるが、消費電力が増えるため好ましくない。
【００１８】
【発明が解決しようとする課題】
上記の構成の入力装置１０においては、導電性ラバー部材３０のうち、グランド電極１３と接触する部分は、可動電極として機能する環状板部３４のうちの一部であって、外周側寄りの部分３４ａであるため、間隙Ｂを狭くすることが難しく、よって、不感領域９０を狭くすることが難しくなり、これによって、有効押し操作ストローク９５が短くなってしまっていた。このため、選択操作用キートップ８５を少しでも押し過ぎると、押した程度に対応する静電容量を出力することが出来なくなってしまい、所望の選択を行うための押し操作の加減が難しくなっており、従来の入力装置１０は操作性が良くなかった。
【００１９】
また、直径がＤ１であって大きくすることが出来ないという制約の下で、グランド電極１３は固定電極１２−１〜１２−４よりも外周側の位置に設けてあるため、固定電極１２−１〜１２−４は直径がＤ１０であり、Ｄ１０＜Ｄ１であり、扇形状の各固定電極１２−１〜１２−４のサイズを大きくすることが困難であり、各固定電極１２−１〜１２−４の面積はＳ１０であり、広くすることが困難であった。
【００２０】
このように、各固定電極１２−１〜１２−４の面積を広くすることが困難であることと、前記のように、有効押し操作ストローク９５が短いために、選択操作用キートップ８５を操作した場合に得ることが出来る静電容量の変化量ΔＣ１０を大きくしにくかった。
【００２１】
静電容量の変化量ΔＣ１０を大きくしにくいため、入力装置１０から出力されて情報機器の制御回路部に入力される信号の品質が十分でない虞れもあった。
【００２２】
そこで、本発明は、上記課題を解決した静電容量式入力装置を提供することを目的とする。
【００２３】
【課題を解決するための手段】
請求項１の発明は、固定電極（１１２−１〜１１２−４）が形成してある基板（１１１）と、該基板上に配置してあり、導電性を有する略円板形状の電極部材（１３０）とを有し、該電極部材は、上記固定電極に対向する環状の可動電極部（１３４）を有し、周方向上任意の位置を押された操作に応じて該電極部材の該可動電極部が該固定電極に接近して、該固定電極と該可動電極部との間の静電容量が変化する構成の静電容量式入力装置において、
上記電極部材は、上記環状の可動電極部よりも中心寄り側の部位に、該基板側に突き出しており、押し操作されたときに、上記基板のうち所定の電位とされている所定電位部分（１２０、１１７）に接触する突部（１３６、１３３）を有する構成としたものである。
【００２４】
請求項２の発明は、請求項１記載の静電容量式入力装置において、上記電極部材の突部は、リング状のリブ（１３６、１３３）である構成としたものである。
【００２５】
請求項３の発明は、請求項１記載の静電容量式入力装置において、上記基板の所定電位部分は、上記固定電極の中央のドーム状接点部材（１２０）であり、上記電極部材は、上記突部が、上記ドーム状接点部材のうちの周縁側の部分に対向する構成としたものである。
【００２６】
請求項４の発明は、請求項１記載の静電容量式入力装置において、上記基板の所定電位部分は、上記固定電極よりも中心側に形成してあるグランド電極（１１７）であり、上記電極部材は、上記突部が、上記グランド電極に対向する構成としたものである。
【００２７】
【発明の実施の形態】
［第１実施例］
図１及び図２（Ａ）は本発明の第１実施例になる静電容量式入力装置１１０を示す。静電容量式入力装置１１０は、図１及び図２（Ａ）に示すように、四角形状の基板１１１上に、ドーム状接点部材１２０が固定され、且つ、可動電極部材としての環状板状の導電性ラバー部材１３０が配置されており、導電性ラバー部材１３０上に絶縁性を有し硬い環状板状のキーキャップ１４０が載っており、金属ケース１５０が基板１１１に固定してあり、導電性ラバー部材１３０の外周部及びキーキャップ１４０の外周部が金属ケース１５０によって押えられている構成である。この入力装置１１０は、図２（Ａ）に示すように、情報機器のプリント基板１７０上に実装してあり、且つ、上面に、中央に決定操作用キートップ１８０とこのキートップ１８０を囲む環状の選択操作用キートップ１８５とが配置される。選択操作用キートップ１８５の周方向上任意の位置が押し操作されると、押された操作に応じた静電容量の変化量として検出され、決定操作用キートップ１８０が押されるとドーム状接点部材１２０が変形されてスイッチ１２１がオンとされる。
【００２８】
静電容量式入力装置１１０は、図８の従来の入力装置１０と同じサイズであり、高さが寸法Ｈ１であり、導電性ラバー部材１３０の直径はＤ１である。
【００２９】
基板１１１上には、図１及び図２（Ｂ）に示すように、周方向に並んだ扇形状の４つの固定電極１１２−１〜１１２−４と、環状のグランド電極１１４と、円形の中央電極１１５と、放射状電極１１６とが形成してある。グランド電極１１４は、環状であり、周方向に並んでいる固定電極１１２−１〜１１２−４よりも中心側に位置しており、中央電極１１５と固定電極１１２−１〜１１２−４との間に位置している。放射状電極１１６は、放射状に延びており、固定電極１１２−１〜１１２−４の間を仕切ってシールドする。
【００３０】
図８中のグランド電極１３に対応する電極は形成されていず、固定電極１１２−１〜１１２−４は図８中の固定電極１２−１〜１２−４よりも外周側に拡がっており、固定電極１１２−１〜１１２−４の外側の直径Ｄ１００は、図８中の固定電極１２−１〜１２−４の直径Ｄ１０よりも大きく、Ｄ１００＞Ｄ１０であり、扇形状の各固定電極１１２−１〜１１２−４の面積Ｓ１００は、図８及び図１０中の各固定電極１２−１〜１２−４の面積Ｓ１０よりも広く、Ｓ１００＞Ｓ１０である。
【００３１】
固定電極１１２−１〜１１２−４には電源電圧＋Ｖｃｃが印加される。グランド電極１１４及び放射状電極１１６はグランド電位とされる。
【００３２】
ドーム状接点部材１２０は、周縁部を環状のグランド電極１１４に固定されて設けてあり、図３（Ａ）に示すように、中央電極１１５を覆っている。ドーム状接点部材１２０と中央電極１１５とは、中央電極１１５が固定接点、ドーム状接点部材１２０が可動接点であるスイッチ１２１を構成する。
【００３３】
導電性ラバー部材１３０は、図８中の導電性ラバー部材３０と同じ外径Ｄ１であり、図８中の導電性ラバー部材３０の中央開口３１内に張り出した部分１３５を有する。図３（Ａ）に併せて示すように、導電性ラバー部材１３０は、中央に開口１３１を有する円板形状であり、下面には、外周側と内周側とに、リング状のリブ１３２，１３３を有し、その間に、環状板部１３４を有する。内周側リング状リブ１３３よりも中心側に、リング状リブ１３６を有する。環状板部１３４とリング状リブ１３２との間には環状の薄い繋ぎ部１３７を有し、環状板部１３４とリング状リブ１３３との間には環状の薄い繋ぎ部１３８を有する。
【００３４】
この導電性ラバー部材１３０は、図３（Ａ）に示すように、外周側リング状リブ１３２が固定電極１１２−１〜１１２−４よりも外周側の位置に置かれて、基板１１１上に配置してある。環状板部１３４は、固定電極１２と間隙Ｃをおいて対向しており、且つ、リング状リブ１３６がドーム状接点部材１２０のうち外周縁と間隙Ｄをおいて対向している。内周側リング状リブ１３３は固定電極１１２−１〜１１２−４とグランド電極１１４との間に位置している。
【００３５】
上記の導電性ラバー部材１３０において、環状板部１３４が可動電極としての役割を有する部分であり、リング状リブ１３６が導電性ラバー部材１３０をグランド電位とする接点としての役割を有する部分である。このリング状リブ１３６は、環状板部１３４より中心側に外れた部位に設けてあり、具体的には、環状板部１３４を支持する内周側リング状リブ１３３よりも中心側の部位に設けてある。間隙Ｄは、図９中の間隙Ｂよりも狭く設定してあり、Ｄ＜Ｂである。
【００３６】
以下に説明するように押し操作を行うと、環状板部１３４と固定電極１１２−１〜１１２−４との間に、静電容量が形成され、この静電容量が増える方向に変化する。
【００３７】
次に、操作者が指先で選択操作用キートップ１８５のうち例えば固定電極１１２−１の上側の位置を力Ｆで押す操作をした場合の、入力装置１１０の動作について説明する。
【００３８】
選択操作用キートップ１８５を押す操作を行う段階で、固定電極１１２−１には電源電圧＋Ｖｃｃが印加されており、グランド電極１１４はグランド電位とされている。ドーム状接点部材１２０が特許請求の範囲の「所定電位部分」を構成し、ドーム状接点部材１２０はグランド電位とされている。
【００３９】
図２及び図３（Ａ）に示す操作前の状態では、導電性ラバー部材１３０は空中に浮いており、電荷の動きが発生しないため、固定電極１１２−１と環状板部３４との間には、静電容量は形成されていない。
【００４０】
選択操作用キートップ１８５を押す操作を行うと、図２（Ａ）に示すように、環状板状のキーキャップ１４０が押された位置とはキーキャップ１４０の中心に関して反対側であって金属ケース１５０によって係止されている位置Ｐ１を中心に傾斜され、導電性ラバー部材１３０のうち主に固定電極１１２−１と対向する部分が圧縮変形される。
【００４１】
先ず、図３（Ｂ）に示すように、リング状リブ１３６がドーム状接点部材１２０と接触し、導電性ラバー部材１３０がグランド電位とされ、この段階で、環状板部１３４と固定電極１１２との間に初めて静電容量が形成される。
【００４２】
選択操作用キートップ１８５を更に押し付けると、導電性ラバー部材１３０のうち環状の薄い繋ぎ部１３７、１３８が撓まされて、環状板部１３４が下方向に変位されて、環状板部１３４と固定電極１１２−１との間の間隙Ｃが狭くなるように変化し、静電容量が増える。静電容量は選択操作用キートップ１８５を押しきるまで増える。図３（Ｃ）は押しきったときの状態を示す。リング状リブ１３６はドーム状接点部材１２０のうち周縁側の部分を押しており、ドーム状接点部材１２０は変形されず、スイッチ１２１はオフのままである。
【００４３】
入力装置１１０からは、押す操作に応じた静電容量が出力され、出力された静電容量は最終的には電圧に変換されて指令信号として情報機器の制御回路部に入力される。
【００４４】
図４の線ＩＩは、選択操作用キートップ１８５を押し操作したときのストロークと静電容量との関係を示す。
【００４５】
図４中、１９６は全体の押し操作ストローク、ΔＣ１００は静電容量の変化量である。１９０は不感領域であり、選択操作用キートップ１８５を操作しても静電容量が出力されないストローク領域である。不感領域１９０は、リング状リブ１３６がドーム状接点部材１２０と接触した時点で終了する。１９５は有効押し操作ストロークであり、押した程度に対応した静電容量が出力される領域である。
【００４６】
全体の押し操作ストローク１９６は、図１３中の全体の押し操作ストローク９６と同じである。この条件の下で、不感領域１９０は図１３中の不感領域９０よりも狭くなっており、その分、有効押し操作ストローク１９５は、図１３中の有効押し操作ストローク９５よりも長くなっている。
【００４７】
このため、選択操作用キートップ１８５を少しでも押し過ぎると押した程度に対応する静電容量を出力することが出来なくなってしまうということが起きにくくなり、操作者は所望の選択を行うための押し操作の加減をすることが従来に比べて容易となり、入力装置１１０は従来の入力装置１０に比べて良好な操作性を有する。
【００４８】
また、直径がＤ１であって大きくすることが出来ないという制約の下で、固定電極１１２−１〜１１２−４は直径がＤ１００であり、Ｄ１００＞Ｄ１０であり、各固定電極１１２−１〜１１２−４の面積はＳ１００であり、Ｓ１００＞Ｓ１０である。
【００４９】
このＳ１００＞Ｓ１０であることと、前記のように、有効押し操作ストローク１９５が長いために、選択操作用キートップ１８５を操作した場合に得ることが出来る静電容量の変化量ΔＣ１００は、従来の入力装置１０における静電容量の変化量ΔＣ１０に比べて大きい。よって、静電容量の変化量ΔＣ１００を制御信号を作るための所定の数値で分割した場合の静電容量が大きくなって、入力装置１００から出力されて情報機器の制御回路部に入力される信号は、品質的に十分に高いものとなる。
【００５０】
グランド電極１１４に、電源電圧＋Ｖｃｃと相違する電圧が印加されていてもよい。
【００５１】
選択操作用キートップ１８５の上面のうち周方向上、上記の位置とは異なる部位を押し操作した場合も、入力装置１１０は上記と略同様に動作する。即ち、リング状リブ１３６のうち押し操作した側の部分がドーム状接点部材１２０と接触し、環状板部１３４と押し操作した位置に対応する固定電極との間の静電容量が増加するように変化する。
【００５２】
［第２実施例］
図５乃至図７は本発明の第２実施例になる静電容量式入力装置２１０を示す。各図中、図１乃至図３に示す構成部分と対応する部分には同じ符号を付す。
【００５３】
静電容量式入力装置２１０は、基板１１１Ａと導電性ラバー部材１３０Ａとを有する構成である。導電性ラバー部材１３０Ａは、図１及び図２（Ａ）に示す導電性ラバー部材１３０から、張り出した部分１３５及びリング状リブ１３６が除去されている構成である。基板１１１Ａは、図１に示す基板１１１上のパターンに、グランド電極１１７を追加した構成であり、図５及び図６（Ｂ）に示すように、グランド電極１１７が特許請求の範囲の記載の「所定電位部分」を構成し、周方向に並んだ扇形状の４つの固定電極１１２−１〜１１２−４とグランド電極１１４との間に配置してある。
【００５４】
図７（Ａ）に示すように、内周側リング状リブ１３３がグランド電極１１７と、隙間Ｅをおいて対向している。隙間Ｅは、図９中の間隙Ｂよりも狭く設定してあり、Ｅ＜Ｂである。
【００５５】
選択操作用キートップ１８５を押す操作を行うと、キーキャップ１４０が位置Ｐ１を中心に傾斜され、導電性ラバー部材１３０Ａのうち主に固定電極１１２−１と対向する部分が圧縮変形される。
【００５６】
先ず、図７（Ｂ）に示すように、リング状リブ１３３がグランド電極１１７と接触し、導電性ラバー部材１３０Ａがグランド電位とされ、この段階で、環状板部１３４と固定電極１１２との間に初めて静電容量が形成される。
【００５７】
選択操作用キートップ１８５を更に押し付けると、導電性ラバー部材１３０のうち環状の薄い繋ぎ部１３７、１３８が撓まされて、環状板部１３４が下方向に変位されて、環状板部１３４と固定電極１１２−１との間の間隙Ｃが狭くなるように変化し、静電容量が増える。静電容量は選択操作用キートップ１８５を押しきるまで増える。図７（Ｃ）は押しきったときの状態を示す。
【００５８】
選択操作用キートップ１８５を押し操作したときのストロークと静電容量との関係は、図４に示す線ＩＩと同じとなり、不感領域、有効押し操作ストローク、静電容量の変化量も図４に示すものと略同じくなる。
【００５９】
よって、入力装置１１０は、従来の入力装置１０に比べて良好な操作性を有し、且つ、十分に高い品質の信号を情報機器の制御回路部に入力することが出来る。
【００６０】
上記の第１、第２実施例の静電容量式入力装置１１０、２１０において、固定電極１１２−１がグランド電位であり、環状板部１３４が電圧が印加されている関係とすることも可能である。
【００６１】
また、上記の静電容量式入力装置１１０、２１０において、静電容量を電圧に変換するＩＣチップを基板１１１、１１１Ａ上に実装した構成とすることも出来る。この構成によれば、入力装置からは操作に応じた電圧信号が出力される。
【００６２】
【発明の効果】
上述の如く、本発明によれば、周方向上任意の位置を押された操作に応じて電極部材の可動電極部が固定電極に接近して、固定電極と可動電極部との間の静電容量が変化する構成の静電容量式入力装置において、電極部材は、押し操作されたときに基板のうち所定の電位とされている所定電位部分に接触する突部を、環状の可動電極部の一部にではなく、可動電極部よりも中心寄り側の部位に設けた構成であるため、押し操作を開始してから突部が所定電位部分に接触するまでのストロークを短くすることが出来、よって、その分、静電容量が発生してこの静電容量を変化させうる有効押し操作ストロークを長くすることが出来、少しでも押し過ぎると押した程度に対応する静電容量を出力することが出来なくなってしまうということが起きにくくなり、操作者は所望の選択を行うための押し操作の加減をすることが従来に比べて容易となり、操作性の向上を図ることが出来る。
【００６３】
また、突部が可動電極部から外れている場所に形成してあるために、固定電極の面積を広くとることが出来、このことと、有効押し操作ストロークを長くできることとによって、押し操作によって得ることが可能である静電容量の変化量を大きくとることが出来、よって、品質の高い制御信号を出力することが出来る。
【図面の簡単な説明】
【図１】本発明の第１実施例になる静電容量式入力装置を分解して示す斜視図である。
【図２】（Ａ）は静電容量式入力装置の断面図、（Ｂ）は基板上の電極パターンを示す図である。
【図３】静電容量式入力装置を押し操作したときの状態を拡大して示す図である。
【図４】押し操作ストロークと静電容量との関係を示す図である。
【図５】本発明の第２実施例になる静電容量式入力装置を分解して示す斜視図である。
【図６】（Ａ）は静電容量式入力装置の断面図、（Ｂ）は基板上の電極パターンを示す図である。
【図７】静電容量式入力装置を押し操作したときの状態を拡大して示す図である。
【図８】従来の静電容量式入力装置を分解して示す斜視図である。
【図９】静電容量式入力装置の断面図である。
【図１０】基板上の電極パターンを示す図である。
【図１１】ラバー部材と電極パターンとの位置関係を示す図である。
【図１２】静電容量式入力装置を押し操作したときの状態を示す図である。
【図１３】押し操作ストロークと静電容量との関係を示す図である。
【符号の説明】
１１０、２１０  静電容量式入力装置
１１１，１１１Ａ  基板
１１２−１〜１１２−４  固定電極
１１４  グランド電極
１２０  ドーム状接点部材
１３０、１３０Ａ  導電性ラバー部材
１３３、１３６  リング状リブ
１３４  環状板部
１４０  キーキャップ
１５０  金属ケース
【図１】
2005038623.tif 000003
【図２】
2005038623.tif 000004
【図３】
2005038623.tif 000005
【図４】
2005038623.tif 000006
【図５】
2005038623.tif 000007
【図６】
2005038623.tif 000008
【図７】
2005038623.tif 000009
【図８】
2005038623.tif 000010
【図９】
2005038623.tif 000011
【図１０】
2005038623.tif 000012
【図１１】
2005038623.tif 000013
【図１２】
2005038623.tif 000014
【図１３】
2005038623.tif 000015